(57)【特許請求の範囲】
【請求項１】
格納箱内に、消火薬剤貯蔵容器と、この消火薬剤貯蔵容器内を加圧するための加圧用ガス容器と、中継器とを格納してある固定式消火設備において、
前記消火薬剤貯蔵容器から導出した薬剤送出管に、水平送出管部を連通形成し、この水平送出管部の複数箇所の各箇所の上下に分岐管を設けるとともに、各分岐管に、前記中継器からの指示信号により分岐管路を電気的に開閉するための電動式の選択弁を設けてあり、
前記水平送出管部は、前記格納箱内の消火薬剤貯蔵容器より上方に、平面視で格納箱奥行方向に対して斜交するように斜め方向にかつ側面視で水平に配設してあり、各分岐管は格納箱外の各防火区域へ配管接続されるようにしてある固定式消火設備。
【発明の詳細な説明】
【０００１】
【発明の属する技術分野】
本発明は、主として、顧客に自ら給油させるセルフサービス方式の給油取扱所に設置するのに有利な固定式消火設備に関する。
【０００２】
【従来の技術】
従来、ガソリンスタンドにおける消火設備には、消火器を火災箇所へ持って行くか、または消火格納箱に格納されている放出ホースを取り出し、この放出ホースの先端の消火薬剤放出用ノズルを火災箇所へ放出するという移動式の消火設備が利用されてきた。
しかし、近年では従業員による給油に替え、顧客に自ら給油させるセルフサービス方式の給油取扱所が認められるようになった。これに伴い、このようなセルフサービス方式の給油取扱所では消火設備として、固定式の泡消火設備の設置が義務付けられるようになった。
【０００３】
固定式の泡消火設備には、防火区域である固定給油設備のアイランドの側面に設けた泡放出口から水平に放出する水平放出方式と、防火区域の上部に固定された泡消火薬剤放出ヘッドの泡放出口から下方に放出する下方放出方式とがある。この水平放出方式及び下方放出方式のいずれの場合も、給油取扱所の一箇所に格納箱を設置する。格納箱内には、消火薬剤貯蔵容器と、この消火薬剤貯蔵容器内を加圧するための加圧用ガス容器と、中継器とを格納してある。そして、消火薬剤貯蔵容器から導出された薬剤送出管に複数の分岐管を設け、各分岐管は各防火区域へ配管接続する。各分岐管には、電気的に開閉する選択弁を設け、この選択弁を中継器からの指示信号により選択的に開いて薬剤送出管から送出される消火薬剤を指定された防火区域へ送出するようにしてある。
【０００４】
【発明が解決しようとする課題】
しかるに、一つの給油取扱所において、固定式泡消火設備は一箇所に設置されるのに対し、アイランド等の防火区域の数は比較的多い。しかも個々の防火区域は固定式泡消火設備に対し方向が定まっておらず、様々の方向に存在する。
したがって、格納箱内に格納する分岐管及び選択弁の取付個数は防火区域の数に比例して非常に多くなり、しかも分岐管の選択弁以降の配管の格納箱からの取り出し数が多く、取り出し方向も異なるため、それだけ取り出しスペースを広く必要としている。しかし、一般に給油取扱所内は全体的にスペース（敷地面積）に余裕のあることは少ないため、配管取り出しスペースを多く必要とする格納箱の、給油取扱所内での設置場所は、自ずと制約されることになる。
【０００５】
そこで、本発明は、格納箱内における多数の分岐管及び選択弁の取付法や配置法に工夫を凝らすことにより、多数の分岐管の全ての選択弁以降の配管取り出し方向の拡大化を図れ、給油取扱所内への格納箱の設置場所の選択自由度を拡げることのできる固定式消火設備を提供することを目的とする。
【０００６】
【課題を解決するための手段】
本発明は、格納箱内に、消火薬剤貯蔵容器と、この消火薬剤貯蔵容器内を加圧するための加圧用ガス容器と、中継器とを格納してある固定式消火設備において、前記消火薬剤貯蔵容器から導出した薬剤送出管に水平送出管部を連通形成し、この水平送出管部の複数箇所の各箇所の上下に分岐管を設けるとともに、各分岐管に、前記中継器からの指示信号により分岐管路を電気的に開閉するための電動式の選択弁を設けてあり、前記水平送出管部は、前記格納箱内の消火薬剤貯蔵容器より上方に、平面視で格納箱奥行方向に対して斜交するように斜め方向にかつ側面視で水平に配設してあり、各分岐管は格納箱外の各防火区域へ配管接続されるようにしてあることに特徴を有する。
【０００７】
【作用】
薬剤送出管に水平送出管部を連通形成し、この水平送出管部の複数箇所の各箇所の上下に分岐管及び選択弁を設けることにより、内部スペースの制約された格納箱内にもできる限り多くの分岐管及び選択弁を収めることができる。
これら分岐管及び選択弁を取り付けた薬剤送出管の水平送出管部は、平面視で格納箱奥行方向に対し斜交する斜め方向にかつ側面視で水平に配設してあるので、多数の分岐管の全ての選択弁以降の配管取り出しは格納箱の左側、右側、後ろ側のいずれの方向からも行うことができる。
従って、格納箱の左側、右側、後ろ側の三側方のいずれの方向にある防火区域にもよく対応できて取り出し配管を容易に行え、給油取扱所への格納箱の設置場所の選択の自由度を高めることができる。
【０００８】
【発明の実施の形態】
以下、本発明の一実施の形態を図１ないし図３に基づいて説明する。図１は開扉状態で示す内部正面図、図２は図１におけるＡ−Ａ線断面図、図３は図１におけるＢ矢視拡大図、図４は図２におけるＣ部の拡大平面図である。
図１において、１は格納箱、２は泡消火薬剤入りの消火薬剤貯蔵容器、３は加圧用ガス容器、４は中継器である。格納箱１は、上板５、左右側板６，７、底板８、及び背板９とで正面開口状に形成し、正面の開口１０に開閉扉１１を備えている。加圧用ガス容器３は窒素ガス等の加圧用ガスを充填していて、その容器３の上部に開閉バルブ及び圧力調整器１２を備え、この圧力調整器１２と消火薬剤貯蔵容器２の上部とを銅管１３で接続しており、使用時に消火薬剤貯蔵容器２に加圧用ガスを導入する。
【０００９】
図１に示すように、消火薬剤貯蔵容器２の下部に一端が接続された薬剤送出管１４の他端側は消火薬剤貯蔵容器２より上方へ延出し、この薬剤送出管１４の上方延出端に対し水平送出管部１５を略直角に接続する。図３及び図４に示すように、水平送出管部１５の多数箇所（図１に示す例では６箇所）の各箇所の上下に、十字形継手１６（水平送出管部１５の末端ではＴ形継手１７）を介して分岐管１８を設ける（図１に示す例では分岐管１８は総数１２個である。）。各分岐管１８には電動モータ１９で開閉操作される選択弁２０を設けている。各分岐管１８の送出口端には、格納箱１まわりの多数の防火区域の各泡放出口とそれぞれ配管接続可能にするためのエルボ２１を変向可変自在に接続している。
【００１０】
このように１本の水平送出管部１５の多数箇所の各箇所に、それぞれ分岐管１８及び選択弁２０を上下対称に取り付けることにより、内部スペースの限られた格納箱１の内部にも分岐管１８及び選択弁２０をできる限り多く取り付けることができる。各選択弁２０の電動モータ１９は、給油取扱所の中央監視制御システムからの指定信号を中継器４を介して入力してオン・オフ制御され、このオン・オフによって選択弁２０を開放又は閉止する。
【００１１】
そして、上記水平送出管部１５は、図１及び図２に示すように、格納箱１内の消火薬剤貯蔵容器２及び加圧用ガス容器３の上方でかつ中継器４の下方において、各電動モータ１９が正面側に向き、かつ平面からみて右側板７の内側の奥行き方向内奥部位から左側板６の内側の奥行き方向手前部位側に向かう斜め方向になるようかつ側面からみて水平に配設する。または、水平送出管部１５は、それとは逆に、平面からみて左側板６の内側の奥行き方向内奥部位から右側板７の内側の奥行き方向手前部位へ向かう斜め方向になるようにかつ側面からみて水平に配設することもできる。つまり、水平送出管部１５は平面視で格納箱１内の奥行き方向に対し斜交する方向、更に換言すれば右側板７又は左側板６と背板９との交わるコーナ付近から左側板６又は右側板７と開口１０を有する正面との交わるコーナ付近とを結ぶ対角線の方向にかつ側面視で水平に配設する。
【００１２】
このように多数の分岐管１８及び選択弁２０を取り付けた水平送出管部１５が、平面視で格納箱１内の奥行き方向に対し斜交する斜め方向になるようにかつ側面視で水平に配設されると、多数の分岐管１８全ての選択弁以降のエルボ２１は、互いに干渉することなく、また消火薬剤貯蔵容器２や加圧用ガス容器３に邪魔されることなく、図２に示すごとく左側方Ｌ、右側方Ｒ、あるいは後側方Ｂのいずれの方向にも任意に向けられて、格納箱１の左側外方、右側外方、あるいは後側外方のいずれの方向に存在する防火区域に対しても取り出し配管を可能にする。各電動モータ１９が格納箱１内において正面側に向けてあると、選択弁２０及び電動モータ１９の保守、点検にも有利である。
【００１３】
このように、各分岐管１８の選択弁２０以降の配管取り出しが、格納箱１の左側方、右側方、あるいは後側方のいずれの方向からも行えると、給油取扱所内において、その一箇所に設置される格納箱１の左側、右側、後ろ側の三側方のいずれの方向に防火区域がある場合も各々の防火区域に対して取り出しスペース少なくても容易に取り出し配管できる。
【００１４】
上記実施例では、給油取扱所の固定消火設備として、泡消火薬剤入りの消火薬剤貯蔵容器２を使用しているが、給油取扱所以外の固定消火設備としては水系の消火薬剤入りの消火薬剤貯蔵容器２を使用することもできる。
【００１５】
【発明の効果】
本発明の固定式消火設備によれば、複数の分岐管全ての選択弁以降の配管取り出しは、格納箱の左側方、右側方、あるいは後側方のいずれの方向からも行えるので、余裕スペースの少ない給油取扱所内に対しても格納箱の設置場所の選択自由度を拡げることができて有利である。
【図面の簡単な説明】
【図１】  開扉状態で示す内部正面図である。
【図２】  図１におけるＡ−Ａ線断面図である。
【図３】  図１におけるＢ矢視拡大図である。
【図４】  図２におけるＣ部の拡大平面図である。
【符号の説明】
１  格納箱
２  消火薬剤貯蔵容器
３  加圧用ガス容器
４  中継器
１４  薬剤送出管
１５  水平送出管部
１８  分岐管
１９  選択弁開閉操作用の電動モータ
２０  選択弁
２１  エルボ
【図１】
0003814414.tif 000002
【図２】
0003814414.tif 000003
【図３】
0003814414.tif 000004
【図４】
0003814414.tif 000005